(57)【要約】【課題】簡易な構成で内枠と前面枠の隙間に対する異物侵入を防いで防犯性を向上させた遊技機を提供する。【解決手段】ヒンジ側の内枠側部４ａ又は外枠側部２ａの外側面４ｂ，２ｂに板金２４が固定配置されており、当該板金２４は、外枠２に対して内枠４及び前面枠５が閉じた状態のとき、遊技者側となる前方へ延設された前端部２４ａが前面枠５の外側面５ａに当接して内枠４と前面枠５との隙間を覆っている。【選択図】図３
2009189611.tif 000002
【特許請求の範囲】
【請求項１】
遊技機の外形をなす矩形状の外枠と、該外枠の一方の外枠側部側に配置されたヒンジを介して開閉可能に設けられた内枠と、前記内枠の前面側で前記ヒンジ側の内枠側部に対して開閉可能に設けられた前面枠とを備えた遊技機であって、
前記ヒンジ側における前記内枠側部又は外枠側部の外側面に板金が固定配置されており、当該板金は前記外枠に対して内枠及び前面枠が閉じた状態のとき、遊技者側となる前方へ延設された前端部が前記前面枠の外側面に当接して前記内枠と前面枠との隙間を覆う遊技機。
【請求項２】
前記前面枠の前記ヒンジ側の外側面は樹脂材によって形成されており、前記外枠に対して内枠及び前面枠が閉じた状態のとき、前記板金の前端部が前記前面枠の外側面に当接する請求項１記載の遊技機。
【請求項３】
前記板金は、前端部が内枠又は外枠の外側面から内側に向けて折り曲げられた鉤状をなし、前記外枠に対して内枠及び前面枠が閉じた状態のとき、前記前端部の先端面が前面枠の外側面に当接する請求項１又は請求項２記載の遊技機。
【請求項４】
前記板金は、前記前面枠の外側面の上端部から下端部にわたって当接するように設けられている請求項１乃至請求項３のいずれか１項に記載の遊技機。
【請求項５】
前記前面枠には、前記ヒンジ側の内枠側部に隣接する外側面に前記板金の前端部に沿って枠体凹部が形成されており、該枠体凹部に前記板金の前端部が当接して遊技機を正面視して当該前端部が隠れるように収納されている請求項１乃至４のいずれか１項に記載の遊技機。
【発明の詳細な説明】
【技術分野】
【０００１】
本発明は、遊技機に関する。
【背景技術】
【０００２】
パチンコ機などの遊技機には、外枠に対して開閉可能に設けられた内枠に遊技盤が着脱可能に組み付けられている。内枠には前面枠が開閉可能に設けられている。
【０００３】
前面枠は、遊技球が遊技盤上や球通路で詰まった場合やメンテナンスなどのために内枠に対してヒンジを介して開閉可能に取り付けられている。
【０００４】
内枠と前面枠の間に遊技領域（遊技盤の盤面）が形成されるため、当該内枠と前面枠の隙間からピアノ線やセル、針金などの異物を侵入させて不正に賞球を得ようとするゴト行為が行なわれるおそれがある。特に、近年のパチンコ機においてはセンター役物の大型化の影響もあり、一般的に盤面に向かって左側（ヒンジ側）に遊技球を打ち出すことが多いことから、異物によって遊技球を入賞装置に向けてその流下方向を操作して不正に入賞させることができるために、ヒンジ側の前面枠と内枠（内枠側部）との間に生じる隙間が該異物を侵入させる標的となりやすい。
【０００５】
かかる不正行為を防止する不正防止機構について例示する。例えば、内枠前面及び前面枠背面の所定対向位置に鉤状（Ｌ字状）の板金が各々設けられ、前面枠が内枠へ閉じた状態で、板金の折曲げ先端部どうしが互いに係合するようになっている。これにより、前面枠をバール等でこじ開けようとしても板金どうしが当接係合してそれ以上のこじ開けを防ぐようになっている（特許文献１参照）。
【特許文献１】特開２００７−２３６７９０号公報
【発明の開示】
【発明が解決しようとする課題】
【０００６】
しかしながら、上述した不正防止機構においては、板金を内枠及び前面枠の双方に設けているので、これらの板金を互いに当接するように配置した場合、個体差による寸法のばらつきにより互いに干渉して前面枠を開閉できないおそれがある。かかる事態を避けるため、板金どうしの係合状態にクリアランスを設ける必要があり、異物侵入を防ぐ観点からは不完全である。また、部品点数が多くなり取付け位置の調整も必要になるため、組み立てに手間がかかる。
【０００７】
本発明の目的は、簡易な構成で内枠と前面枠の隙間に対する異物侵入を防いで防犯性を向上させた遊技機を提供することにある。
【課題を解決するための手段】
【０００８】
本発明は上記目的を達成するため、次の構成を備える。
遊技機の外形をなす矩形状の外枠と、該外枠の一方の外枠側部側に配置されたヒンジを介して開閉可能に設けられた内枠と、前記内枠の前面側で前記ヒンジ側の内枠側部に対して開閉可能に設けられた前面枠とを備えた遊技機であって、前記ヒンジ側における前記内枠側部又は外枠側部の外側面に板金が固定配置されており、当該板金は前記外枠に対して内枠及び前面枠が閉じた状態のとき、遊技者側となる前方へ延設された前端部が前記前面枠の外側面に当接して前記内枠と前面枠との隙間を覆うようになっている。
【０００９】
また、前記前面枠の前記ヒンジ側の外側面は樹脂材によって形成されており、前記外枠に対して内枠及び前面枠が閉じた状態のとき、前記板金の前端部が前記前面枠の外側面に当接するようになっている。
【００１０】
また、前記板金は、前端部が内枠又は外枠の外側面から内側に向けて折り曲げられた鉤状をなし、前記外枠に対して内枠及び前面枠が閉じた状態のとき、前記前端部の先端面が前面枠の外側面に当接するようになっている。
【００１１】
また、前記板金は、前記前面枠の外側面の上端部から下端部にわたって当接するように設けられている。
【００１２】
また、前記前面枠には、前記ヒンジ側の内枠側部に隣接する外側面に前記板金の前端部に沿って枠体凹部が形成されており、該枠体凹部に前記板金の前端部が当接して遊技機を正面視して当該前端部が隠れるように収納されている。
【発明の効果】
【００１３】
上述した遊技機において、当該遊技機の外形をなす外枠に内枠及び前面枠が閉じた状態のとき、内枠又は外枠に固定される板金の前端部が前面枠に当接して内枠と前面枠の隙間を覆うので、当該隙間に異物を侵入する不正行為を防止することができる。また、板金が、内枠側部又は外枠側部の外側面に固定されるので、内枠が熱により穴を開けられるのを防止することができる。さらに、ヒンジ側の内枠側部又は外枠側部の一部を板金により代替することができるので、内枠又は外枠の強度を板金により補完して内枠側部又は外枠側部の厚さを薄く形成することが可能となり、遊技盤の遊技領域や遊技機背面側に設けられる構造部品の設置領域を広げてレイアウトの自由度を広げることができる。
特に内枠側部の内部に板金を設けた場合にヒンジや遊技盤を固定する固定部などとの干渉を避けて組み付ける必要があるが、内枠側部の外側面に板金が設けられていると、かかる制約を受けずに組み付けることができる。
【００１４】
前面枠の外側面は樹脂材で形成されており、外枠に対して内枠及び前面枠が閉じた状態のとき板金の前端部が前面枠の外側面に当接することにより、内枠と前面枠との間に隙間がなくなり、異物の侵入を防ぐことができる。そして、仮に板金の個体差に起因して内枠及び前面枠を閉じる前に板金の前端部が前面枠の外側面と当接しても、樹脂材で形成された前面枠（外側面）が撓むなどの変形をすることで、その個体差を吸収して干渉による影響を少なくすることができる。ひいては、内枠に対して前面枠を確実に閉じることができる。また、部品点数も少なくなり、取付け位置の調整も簡単になり組み付けが容易に行なえる。
【００１５】
また、板金は、前端部が内枠又は外枠の外側面から内側に向けて折り曲げられた鉤状をなし、外枠に対して内枠及び前面枠が閉じた状態のとき前端部の先端面が前面枠の外側面に当接することにより、板金の前端部の当接形状が鉤状に入り組んだ形状となり、不正防止効果を高めることができる。
【００１６】
また、板金が前面枠の外側面の上端部から下端部にわたって当接するように設けられていると、前面枠の上下方向全体にわたって前面枠との隙間を塞ぐことができるので、前面枠に球受け皿が一体に取り付けられている場合はもちろん別体に取り付けられていても不正防止効果を有する。
【００１７】
また、前面枠には、ヒンジ側の内枠側部に隣接する外側面に枠体凹部が形成されており、該枠体凹部に板金の前端部が当接して遊技機を正面視して当該前端部が隠れるように収納されているので、遊技者側から前面枠と内枠との境界が見えなくなり、遊技機の外観を損なうことなくしかも不正防止を強化することができる。
【００１８】
尚、枠体凹部は、前面枠の外側面より内側にくぼんだ形状、例えば凹部、段付部、切欠き部などの形状を広く含むものとする。
【００１９】
特に、板金の前端部と前面枠並びに内枠と前面枠の当接部を複数設けることにより、前面枠と内枠の隙間を塞ぐ構造が入り組んでより複雑化するので、不正防止効果をさらに強化することができる。
【発明を実施するための最良の形態】
【００２０】
以下、本発明の実施形態について図面を参照しながら具体的に説明する。
図１及び図２を参照して本実施形態に係る遊技機の概略構成について説明する。本実施形態では遊技機の一例としてパチンコ機を例示して説明するものとする。パチンコ機１は、当該パチンコ機１の外形をなす外枠２と、遊技盤３が設けられた内枠４（図２参照）と、該内枠４を覆う前面枠５を備えている。図２において、矩形状の外枠２のうち外枠ヒンジ６が設けられる一方側（ヒンジ側）の外枠側部２ａの前面２ｃが切りかかれて他方側（開放側）の外枠側部２ｂの前面２ｄより奥まって形成されている。尚、外枠側部に形成される切り欠き形状とは、遊技機を正面視して両側の外枠側部のうち開放側よりヒンジ側の奥行き寸法が短い細枠形状を言う。すなわち、外枠側部の一部に切り欠きを設けて形成してもよいし、奥行き寸法の短い外枠側部を用いて全体を切り欠きとして形成してもよい。
【００２１】
図２に示すように、内枠４は外枠ヒンジ６により外枠側部２ａに対して開閉可能に取り付けられている。また、前面枠５（図１参照）は内枠ヒンジ７により内枠側部４ａに対して開閉可能に取り付けられている。内枠４には、外枠２に対して内枠４及び前面枠５が閉じた状態のときに、当該内枠４（内枠側部４ａ）と前面枠５の隙間への異物侵入に対する不正防止機構を構成する板金２４が設けられている。尚、外枠ヒンジ６と内枠ヒンジ７は、共通のヒンジを設けて内枠４及び前面枠５を開閉するようにしてもよい。
【００２２】
図１に戻り、前面枠５の中央部には遊技者が遊技盤３を視認できる窓部８が設けられている。該窓部８の周囲には装飾部９や図示しないスピーカーなどが設けられている。また、遊技盤３の中央部には、図柄表示装置（液晶表示装置）１１が設けられている。
【００２３】
また、前面枠５の下方には、貸球や賞球を貯留し図示しない発射装置へ球を誘導する球受け皿１２、球受け皿１２の左側にタバコの吸殻を収容する灰皿１３、球受け皿１２の右側に遊技盤３に遊技球を打ち出すためのハンドル１４が各々設けられている。本実施形態におけるパチンコ機１の前面枠５は、上下に設けられたガラス枠と球受け皿枠とが内枠ヒンジ７を中心に個別に開閉できるようになっている。尚、前面枠５はガラス枠と球受け皿枠とが一体となって開閉できるものでもよい。
【００２４】
遊技盤３には、上縁部に装飾部を有するセンター役物１５、釘１６（図３参照）、風車１７、スルーチャッカー１８、電動チューリップ１９、アタッカー２０、レール２１、サイドランプ２２などの盤面部品やアウトロ２３などが設けられている。
【００２５】
ここで、上記パチンコ機において前面枠５と内枠４との間の隙間からの異物の侵入を防ぐ不正防止構造の一例を図２乃至図９を参照して説明する。
図２及び図３に示すように、板金２４が外枠ヒンジ６と連繋する内枠４の内枠側部４ａの外側面４ｂに、内枠４（内枠側部４ａ）の上端から下端にわたって固定配置されている。具体的には、板金２４は内枠側部４ａの上下に設けられた内枠ヒンジ７に固定されている。尚、内枠ヒンジ７と板金２４を一体に形成することもできる。その場合には、さらに部品点数も少なくなり、取付け位置の調整も簡単で組み付けが容易に行なえる。
【００２６】
また、板金２４は、前方に向けて延設される前端部２４ａを形成しており、内枠４に対して前面枠５（図１参照）が閉じた状態のとき、後述する前面枠５の外側面５ａに形成された枠体凹部２５に当接するように組み付けられている（図３参照）。これにより、板金２４は、内枠４に対して前面枠５が閉じた状態のときに当該内枠４と前面枠５の隙間を覆い、異物の侵入を防ぐことができる。また、板金２４が内枠４（内枠側部４ａ）の上端から下端にわたって固定配置されているので、前面枠５としてのガラス枠（上部）との隙間はもちろんのこと球受け皿枠（下部）との隙間を塞ぐことができ、確実な不正防止効果を有する。尚、前面枠５に球受け皿１２が一体に取り付けられている場合でも同様の不正防止効果を有する。
【００２７】
図２乃至図４に示すように、板金２４の前端部２４ａは内枠４の外側面４ｂから内側に向けて鉤状（略Ｌ字状）に折り曲げられており、当該前端部２４ａは内枠４の前面側に突設されている（図４参照）。また、前面枠５の外側面５ａは樹脂材（例えばＡＢＳ樹脂など）で形成されており、該外側面５ａには板金２４の前端部２４ａに沿うように長手方向に枠体凹部（有底凹部）２５が形成されている。前面枠５が内枠４に閉じた状態のとき、板金２４の前端部２４ａが枠体凹部２５に挿入されて先端面２４ｄが底部と当接している（図３参照）。また、内枠４の前端部内側面４ｃに前面枠５の先端面５ｂが当接している。
【００２８】
また、図３において外枠２に対して内枠４が閉じた状態のとき、ヒンジ側の外枠側部２ａと内枠側部４ａとの対向部Ｆが開放側の外枠側部２ｂの前面２ｄ（図２参照）より遊技機１を正面視して遊技者側を前方（手前）とする前後方向の後方（奥側）に形成されるようになっている。
これにより、遊技機１をホールの組み付け部（島）に組み付けた状態で内枠２と外枠４との隙間が遊技者側から見て手の届かない遊技機１の奥側に位置する。図３のラインＰが後方（奥側）に埋設される部分と遊技者側（前側）に露出する部分との境界線である。よって、例えば不正を働こうとする者が外枠２と内枠４の隙間である対向部Ｆに異物を侵入させることを試みることすらできず、不正防止を強化することができる。
【００２９】
また、板金２４の後端部２４ｂが内枠側部４ａの外側面４ｂから内側に向けて鉤状（略Ｌ字状）に折り曲げられ、内枠側部４ａの段付面２６に沿って設けられている。板金２４の後端部２４ｂと対向する外枠側部２ａには外枠リブ（突出部）２７が突設されている。外枠２に対して内枠４が閉じた状態のときに、板金２４の鉤状後端部２４ｂと外枠側部２ａの外枠リブ２７が近接して配置される。尚、外枠リブ２７の先端部は鉤状後端部２４ｂと当接していてもよい。
このように遊技機１を正面視してヒンジ側の外枠側部２ａと内枠側部４ａの対向部Ｆの配置とともに隙間を狭める外枠リブ２７の存在により、外枠２と内枠４の隙間に異物を侵入させることがほとんど不可能となるため、防犯性を強化することができる。
【００３０】
以上のように、内枠側部４ａの外側面４ｂに固定配置された板金２４の前端部２４ａが前面枠５に当接して隙間を塞いでいるため、当該隙間に異物を侵入する不正行為を防止することができる。また、内枠側部４ａの一部を板金２４により代替することができるので、内枠４の強度を板金２４により補完して内枠側部４ａの厚さを薄くすることが可能となり、遊技盤３の遊技領域を拡大することや、遊技盤３や遊技機背面側の構造物のレイアウトの自由度を高めることもできる。また、前面枠５の外側面５ａは樹脂材で形成されているため、その樹脂材で形成された前面枠（外側面）が撓むなどの変形をすることで、板金２４の個体差を吸収して干渉による影響を少なくすることができる。また、不具合なく当接させることができるので、隙間の発生を抑制又は防止できる。そして、板金２４の組み付けが容易に行なえる。
【００３１】
また、内枠側部４ａ又は内枠側部４ａの一部を板金２４にすることで、盤面から垂直に板金２４を配置でき、内枠側部４ａの抜き勾配による隙間を減らすことができる。また、内枠側部４ａの内側に板金を設けた場合にはその抜き勾配により遊技盤設置領域が圧迫されるおそれがあるが、内枠側部４ａの外側面４ｂに板金２４を設けると、遊技領域を広げてかつ取り付けに制約を受けずに組み付けることができる。
【００３２】
図５及び図６は不正防止構造の他例を示す。図３及び図４と同一部材には同一番号を付して説明を援用するものとする。前述した実施形態では、外枠２の一方の外枠側部２ａが前後方向に切り欠かれていたが、本実施形態では切り欠きのない通常の外枠２が用いられている。
【００３３】
図５及び図６に示すように、内枠４の内枠側部４ａの前面側には第１のリブ２８、第２のリブ２９が各々突設されている。板金２４の前端部２４ａは内枠４の外側面４ｂから内側に向けて鉤状（略Ｌ字状）に折り曲げられており、当該前端部２４ａは第２のリブ２９の前面側に突設されている。また、板金２４の後端部２４ｂが、内枠側部４ａの外側面４ｂから内側に向けて（外枠２（外枠側部）に沿って）クランク状に折り曲げられ、内枠側部４ａの段付面２６に沿って設けられている。前面枠５が内枠４へ閉じた状態のとき、前端部２４ａが前面枠５の段付部３０に先端面２４ｄが当接している。また、内枠４の第１のリブ２８は前面枠５に設けられた段付部３１に当接している。また、第２のリブ２９の先端部は、前面枠５の先端面５ｂと当接している。
このように、板金２４と前面枠５、前面枠５と内枠４とで当接部が複数設けられているので、前面枠５と内枠４の隙間を塞ぐ構造が入り組んで複雑化し、不正防止効果をさらに強化することができる。
【００３４】
図７及び図８は不正防止構造の他例を示す。上記実施形態と同一部材には同一番号を付して説明を援用するものとする。
図７及び図８に示すように、内枠４の前面側には第１のリブ２８、第２のリブ２９が各々に突設されている。また、前面枠５には階段状の段付部３２，３３，３４が形成されている。板金２４の前端部２４ａは平板状であり、前面枠５の段付部３２まで延設されている。前面枠５が内枠４に閉じた状態のとき、前端部２４ａが前面枠５の段付部３２に前端部内側面２４ｃが当接している。また、内枠４の第２のリブ２９は前面枠５に設けられた段付部３３に当接しており、第１のリブ２８は前面枠５に設けられた段付部３４に各々当接している。
【００３５】
このように、板金形状が平板状であっても前面枠５との当接面を広くとることで不正防止強化を図ることができる。また、板金２４と前面枠５、前面枠５と内枠４との間に複数の当接部が設けられているので、前面枠５と内枠４の隙間を塞ぐ構造が入り組んで複雑化し、不正防止効果をさらに強化することができる。また、板金２４の前端部２４ａはパチンコ機１を正面視して隠れるように段付部３２（枠体凹部）に収納されていると、板金２４の前端部２４ａを遊技者側に延設しても、遊技機の外観を損ねることなく不正防止を強化することができる。
【００３６】
図９は不正防止構造の他例を示す。上記実施形態と同一部材には同一番号を付して説明を援用するものとする。
図５においては、板金２４を内枠４の内枠ヒンジ７（図２参照）が設けられる内枠側部４ａの外側面４ｂに固定されていたが、この実施形態では、図９に示すように、板金２４は、外枠２の外枠ヒンジ６（図２参照）が設けられる外枠側部２ａの外側面２ｅに固定されている。板金２４の前端部２４ａは外枠２の外側面２ｅから内側に向けて鉤状（略Ｌ字状）に折り曲げられており、当該前端部２４ａは第２のリブ２９の前面側に突設されている。外枠２に対して内枠４及び前面枠５が閉じた状態のとき、前端部２４ａが前面枠５の段付部３０に当接して内枠４と前面枠５との隙間を覆っている。また、内枠側部４ａに形成された第１のリブ２８は前面枠５に設けられた段付部３１に当接しており、第２のリブ２９の先端部は、前面枠５の先端面５ｂと当接している。
【００３７】
このように、板金２４が前面枠５と内枠４の隙間を塞いでおり、しかも外枠２と前面枠５、内枠４と前面枠５の当接部が入り組んで形成されているため、隙間に異物を侵入する不正行為を防止することができる。
【００３８】
なお、遊技機の一例としてパチンコ機について説明したが、他に例えばアレンジボール遊技機、パチスロ遊技機、雀球遊技機等の他の遊技機にも適用できる。
【図面の簡単な説明】
【００３９】
【図１】遊技機の正面図である。
【図２】外枠、内枠及び板金の分解斜視図である。
【図３】前面枠を内枠に閉じた状態の水平方向部分断面図である。
【図４】図３の前面枠を内枠から開放した状態の水平方向部分断面図である。
【図５】他例に係る前面枠を内枠に閉じた状態の水平方向部分断面図である。
【図６】図５の前面枠を内枠から開放した状態の水平方向部分断面図である。
【図７】他例に係る前面枠を内枠に閉じた状態の水平方向部分断面図である。
【図８】図７の前面枠を内枠から開放した状態の水平方向部分断面図である。
【図９】他例に係る前面枠を内枠に閉じた状態の水平方向部分断面図である。
【符号の説明】
【００４０】
１  遊技機
２  外枠
２ａ，２ｂ  外枠側部
２ｃ，２ｄ  前面
２ｅ，４ｂ，５ａ  外側面
３  遊技盤
４  内枠
４ａ  内枠側部
４ｃ  前端部内側面
５  前面枠
５ｂ，２４ｄ  先端面
６  外枠ヒンジ
７  内枠ヒンジ
８  窓部
９  装飾部
１１  図柄表示装置
１２  球受け皿
１３  灰皿
１４  ハンドル
１５  センター役物
１６  釘
１７  風車
１８  スルーチャッカー
１９  電動チューリップ
２０  アタッカー
２１  レール
２２  サイドランプ
２３  アウトロ
２４  板金
２４ａ  前端部
２４ｂ  後端部
２４ｃ  前端部内側面
２５  枠体凹部
２６，３０，３１，３２，３３，３４  段付部
２７  外枠リブ
２８  第１のリブ
２９  第２のリブ  
Ｆ  対向部
【図１】
2009189611.tif 000003
【図２】
2009189611.tif 000004
【図３】
2009189611.tif 000005
【図４】
2009189611.tif 000006
【図５】
2009189611.tif 000007
【図６】
2009189611.tif 000008
【図７】
2009189611.tif 000009
【図８】
2009189611.tif 000010
【図９】
2009189611.tif 000011